Podtech/llm-jp-corpus-v4-ja_patent huggingface dataset:
【手続補正書】
【提出日】平成27年3月12日(2015.3.12)
【手続補正１】
【補正対象書類名】明細書
【補正対象項目名】０００７
【補正方法】変更
【補正の内容】
【０００７】
上記目的を達成するため、本発明の一態様の画像処理装置は、特定対象の物体の像を含む画像を、対象画像として取得する対象画像取得手段と、前記対象画像取得手段により取得された前記対象画像と類似する画像を、所定の記録手段に記録された複数の画像の中から候補画像として検索する候補画像検索手段と、前記候補画像検索手段により検索された前記候補画像を表示手段に表示させる表示制御手段と、前記表示手段に表示される前記候補画像の中から特定の画像を指定する指定手段と、前記指定手段により前記特定の画像が指定された場合、前記表示手段に表示される前記候補画像の表示数、サイズ、及び表示対象の前記候補画像のうち少なくとも一部を変更する表示変更手段と、を備えることを特徴とする画像処理装置。
【手続補正２】
【補正対象書類名】特許請求の範囲
【補正対象項目名】全文
【補正方法】変更
【補正の内容】
【特許請求の範囲】
【請求項１】
特定対象の物体の像を含む画像を、対象画像として取得する対象画像取得手段と、
前記対象画像取得手段により取得された前記対象画像と類似する画像を、所定の記録手段に記録された複数の画像の中から候補画像として検索する候補画像検索手段と、
前記候補画像検索手段により検索された前記候補画像を表示手段に表示させる表示制御手段と、
前記表示手段に表示される前記候補画像の中から特定の画像を指定する指定手段と、
前記指定手段により前記特定の画像が指定された場合、前記表示手段に表示される前記候補画像の表示数、サイズ、及び表示対象の前記候補画像のうち少なくとも一部を変更する表示変更手段と、
を備えることを特徴とする画像処理装置。
【請求項２】
前記指定手段により、前記特定の画像が指定された場合に、前記特定の画像を前記表示対象の画像から排除する排除手段、
を更に備え、
前記表示変更手段は、前記排除手段の排除結果に基づいて、前記表示手段に表示される前記候補画像の表示数、サイズ、及び表示対象の画像のうち少なくとも一部を変更する
ことを特徴とする請求項１に記載の画像処理装置。
【請求項３】
前記指定手段は、前記表示手段に表示される前記候補画像の中から特定の画像をユーザ操作により指定する、
ことを特徴とする請求項１又は２に記載の画像処理装置。
【請求項４】
前記候補画像検索手段は、
前記対象画像に含まれる前記物体の像と、前記所定の記録手段に記録された前記複数の画像の各々に含まれる物体の像との類似度を算出する類似度算出手段を含み、
前記類似度算出手段により算出された類似度に基づいて、前記所定の記録手段に記録された前記複数の画像の中から、候補画像を検索する、
ことを特徴とする請求項１に記載の画像処理装置。
【請求項５】
前記表示変更手段は、前記排除手段により前記特定の画像が排除されると、当該特定の画像の代わりに、前記表示手段に表示されている前記候補画像内の最低の類似度に対して、次点の類似度を有する画像を前記表示手段に候補画像の１つとして表示させるように変更する、
ことを特徴とする請求項４に記載の画像処理装置。
【請求項６】
前記表示変更手段は、
前記次点の類似度が閾値以上である場合、前記特定の画像の代わりに当該次点の類似度を有する画像を候補画像の１つとして前記表示手段に表示させるように変更させ、
前記次点の類似度が前記閾値未満か若しくは前記次点の類似度を有する画像が存在しない場合には、前記表示手段に表示されている前記候補画像のサイズを拡大させるように変更する、
ことを特徴とする請求項４又は５に記載の画像処理装置。
【請求項７】
前記表示制御手段は、前記対象画像を前記表示手段の第１領域に表示させる第１の表示制御手段を更に備え、
前記候補画像を前記表示手段の第２領域に表示させる、
ことを特徴とする請求項１から６の何れか１項に記載の画像処理装置。
【請求項８】
前記特定対象の物体は、植物、動物、人物、及び自動車の何れかの種類の物体を含む
ことを特徴とする請求項１から７の何れか１項に記載の画像処理装置。
【請求項９】
特定対象の物体の像を含む画像を、対象画像として取得する対象画像取得ステップと、
前記対象画像取得ステップにより取得された前記対象画像と類似する画像を、所定の記録手段に記録された複数の画像の中から候補画像として検索する候補画像検索ステップと、
前記候補画像検索ステップにより検索された前記候補画像を表示手段に表示させる表示制御ステップと、
前記表示手段に表示される前記候補画像の中から特定の画像を指定する指定ステップと、
前記指定ステップにより前記特定の画像が指定された場合、前記表示手段に表示される前記候補画像の表示数、サイズ、及び表示対象の前記候補画像のうち少なくとも一部を変更する表示変更ステップと、
を含むことを特徴とする画像処理方法。
【請求項１０】
コンピューターを、
特定対象の物体の像を含む画像を、対象画像として取得する対象画像取得手段、
前記対象画像取得手段により取得された前記対象画像と類似する画像を、所定の記録手段に記録された複数の画像の中から候補画像として検索する候補画像検索手段、
前記候補画像検索手段により検索された前記候補画像を表示手段に表示させる表示制御手段、
前記表示手段に表示される前記候補画像の中から特定の画像を指定する指定手段、
前記指定手段により前記特定の画像が指定された場合、前記表示手段に表示される前記候補画像の表示数、サイズ、及び表示対象の前記候補画像のうち少なくとも一部を変更する表示変更手段、
として機能させることを特徴とするプログラム。
【手続補正書】
【提出日】平成27年3月3日(2015.3.3)
【手続補正１】
【補正対象書類名】明細書
【補正対象項目名】発明の名称
【補正方法】変更
【補正の内容】
【発明の名称】画像処理装置、画像処理方法及びプログラム
【手続補正２】
【補正対象書類名】明細書
【補正対象項目名】０００７
【補正方法】変更
【補正の内容】
【０００７】
上記目的を達成するため、本発明の一態様の画像処理装置は、
被写体を含む画像を取得する画像取得手段と、
前記画像取得手段により取得された画像中の被写体に関する第１の特徴と、所定の記録手段に記録された複数種の画像群に関する複数の特徴の各々とを比較する情報比較手段と、
前記情報比較手段による比較結果に基づいて、前記複数種の画像群から当該複数種未満の画像群を選択する第１の選択手段と、
前記第１の選択手段により選択された前記複数種未満の画像群の各々から、前記第１の特徴とは異なる前記被写体に関する第２の特徴に類似する特徴を有する代表画像を選択する第２の選択手段と、
前記第２の選択手段により選択された複数の代表画像を外部に出力する出力手段と、
を備えることを特徴とする。
【手続補正３】
【補正対象書類名】特許請求の範囲
【補正対象項目名】全文
【補正方法】変更
【補正の内容】
【特許請求の範囲】
【請求項１】
被写体を含む画像を取得する画像取得手段と、
前記画像取得手段により取得された画像中の被写体に関する第１の特徴と、所定の記録手段に記録された複数種の画像群に関する複数の特徴の各々とを比較する情報比較手段と、
前記情報比較手段による比較結果に基づいて、前記複数種の画像群から当該複数種未満の画像群を選択する第１の選択手段と、
前記第１の選択手段により選択された前記複数種未満の画像群の各々から、前記第１の特徴とは異なる前記被写体に関する第２の特徴に類似する特徴を有する代表画像を選択する第２の選択手段と、
前記第２の選択手段により選択された複数の代表画像を外部に出力する出力手段と、
を備えることを特徴とする画像処理装置。
【請求項２】
前記被写体の第１の特徴と前記複数の画像群の各々の特徴との類似度を算出する類似度算出手段を更に備え、
前記第１の選択手段は、前記複数種の画像群のうち相対的に類似度が高い類似度を有する前記複数種未満の画像群を選択することを特徴とする請求項１に記載の画像処理装置。
【請求項３】
前記第１の選択手段は、前記類似度算出手段により算出された類似度の高い順に前記複数種未満の画像群を選択し、
前記出力手段は、前記複数の代表画像を当該複数の代表画像の各々が属する複数の画像群について算出された類似度の高い順に表示手段に表示させることを特徴とする請求項２に記載の画像処理装置。
【請求項４】
前記出力手段は、前記画像取得手段により取得された画像と、前記複数の代表画像とを表示手段に同時に表示させることを特徴とする請求項１に記載の画像処理装置。
【請求項５】
前記第１の特徴は、被写体の形状に関する情報であり、
前記第２の特徴は、被写体の色に関する情報であり、
前記第１の選択手段は、前記被写体の形状に関する情報に基づいて、前記複数の画像群から前記複数種未満の画像群を選択し、
前記第２の選択手段は、前記被写体の色に関する情報に基づいて、前記第１の選択手段により選択された前記複数種未満の画像群の各々から代表画像を選択する
ことを特徴とする請求項１から４の何れか１項に記載の画像処理装置。
【請求項６】
前記画像取得手段により取得される被写体を含む画像は、花の画像であること
を特徴とする請求項１から５の何れか１項に記載の画像処理装置。
【請求項７】
画像処理装置が実行する画像処理方法において、
被写体を含む画像を取得する画像取得ステップと、
前記画像取得ステップにより取得された画像中の被写体に関する第１の特徴と、所定の記録手段に記録された複数種の画像群に関する複数の特徴の各々とを比較する情報比較ステップと、
前記情報比較ステップによる比較結果に基づいて、前記複数種の画像群から当該複数種未満の画像群を選択する第１の選択ステップと、
前記第１の選択ステップにより選択された前記複数種未満の画像群の各々から、前記第１の特徴とは異なる前記被写体に関する第２の特徴に類似する特徴を有する代表画像を選択する第２の選択ステップと、
前記第２の選択ステップにより選択された複数の代表画像を外部に出力する出力ステップと、
を含む画像処理方法。
【請求項８】
コンピュータを、
被写体を含む画像を取得する画像取得手段、
前記画像取得手段により取得された画像中の被写体に関する第１の特徴と、所定の記録手段に記録された複数種の画像群に関する複数の特徴の各々とを比較する情報比較手段、
前記情報比較手段による比較結果に基づいて、前記複数種の画像群から当該複数種未満の画像群を選択する第１の選択手段、
前記第１の選択手段により選択された前記複数種未満の画像群の各々から、前記第１の特徴とは異なる前記被写体に関する第２の特徴に類似する特徴を有する代表画像を選択する第２の選択手段と、
前記第２の選択手段により選択された複数の代表画像を外部に出力する出力手段、
として機能させることを特徴とするプログラム。
【手続補正書】
【提出日】平成27年8月20日(2015.8.20)
【手続補正１】
【補正対象書類名】特許請求の範囲
【補正対象項目名】全文
【補正方法】変更
【補正の内容】
【特許請求の範囲】
【請求項１】
ディスプレイと、
複数の漢字文字を含む情報が格納されたデータベースと、
利用者が文字パターンを手書き入力するための手書入力画面を前記ディスプレイに表示する手書入力画面表示手段と、
前記手書入力画面に文字パターンの手書き入力があったときに、該文字パターンと類似するパターンを含む漢字文字群を前記データベースから抽出して、利用者がその何れかを入力文字として選択できるように前記ディスプレイに表示する手書漢字入力手段とを備える文字入力装置において、
前記手書入力画面に文字パターンが手書き入力される前に、前記データベースに格納された情報に含まれる漢字文字群を抽出する漢字群抽出手段と、
前記漢字群抽出手段で抽出した漢字文字群を前記ディスプレイに表示して、利用者がその何れかを入力文字として選択できるようにする抽出漢字群表示手段と、
利用者が、前記抽出漢字群表示手段で表示された前記漢字文字群の何れかを入力文字として選択したときに、該選択文字の入力を確定する入力文字確定手段と、
を有する文字入力装置。
【請求項２】
複数の前記データベースと、該複数のデータベースの中から利用者の選択操作に基づいて前記漢字群抽出手段で漢字群を抽出する対象となるデータベースを特定するデータベース特定手段と、を更に有する請求項１に記載の文字入力装置。
【請求項３】
前記入力文字確定手段で確定された文字を含む情報を前記データベースから抽出する情報抽出手段と、
該情報抽出手段で抽出された一または複数の情報を、利用者がその何れかを選択できるように前記ディスプレイに表示する抽出情報表示手段と、を更に有する請求項１に記載の文字入力装置。
【請求項４】
前記抽出漢字群表示手段が、各漢字における総画数の多い順に該漢字文字群を並べて表示するものである、請求項１に記載の文字入力装置。
【請求項５】
利用者による漢字文字の入力履歴を記憶する入力履歴記憶手段を更に有し、
前記抽出漢字群表示手段が、前記入力履歴記憶手段に記憶される入力履歴により各漢字の入力頻度の高い順に該漢字文字群を並べて表示するものである、請求項１に記載の文字入力装置。
【請求項６】
前記抽出漢字群表示手段が、各漢字の抽出元の情報の更新日時の新しい順に、該漢字文字群を並べて表示するものである、請求項１に記載の文字入力装置。
【請求項７】
前記データベースにおける各情報の所定指標に基づくランク付けを記憶する情報ランク記憶手段を更に有し、
前記抽出漢字群表示手段が、前記情報ランク記憶手段で記憶されるランク情報により各漢字の抽出元の情報のランクの高い順に、該漢字文字群を並べて表示するものである、請求項１に記載の文字入力装置。
【請求項８】
前記データベースにおける各情報の利用履歴を記憶する利用履歴記憶手段を更に有し、
前記抽出漢字群表示手段が、前記利用履歴記憶手段で記憶される利用履歴により各漢字の抽出元の情報の利用頻度の高い順に、該漢字文字群を並べて表示するものである、請求項１に記載の文字入力装置。
【請求項９】
前記文字入力装置が、ナビゲーション装置に搭載され、利用者による目的地設定のために使用されるものであり、
前記データベース特定手段が、地点情報を格納したデータベースを特定し、
前記抽出漢字群表示手段が、各漢字の抽出元の地点情報の前記目的地として設定された頻度の高い順に、該漢字文字群を並べて表示するものである、請求項２に記載の文字入力装置。
【請求項１０】
前記文字入力装置が、ナビゲーション装置に搭載され、利用者による施設検索のために使用されるものであり、
前記データベース特定手段が、前記施設の情報を格納したデータベースを特定し、
前記抽出漢字群表示手段が、各漢字の抽出元の施設情報の現在位置から近い順に、該漢字文字群を並べて表示するものである、請求項２に記載の文字入力装置。
【請求項１１】
ディスプレイと、
複数の漢字文字を含む情報が格納されたデータベースと、
利用者が文字パターンを手書き入力するための手書入力画面を前記ディスプレイに表示する手書入力画面表示手段と、
前記手書入力画面に文字パターンの手書き入力があったときに、該文字パターンと類似するパターンを含む漢字文字群を前記データベースから抽出して、利用者がその何れかを入力文字として選択できるように前記ディスプレイに表示する手書漢字入力手段とを備える文字入力装置において、
前記手書入力画面に文字パターンが手書き入力される前に、前記データベースに格納された情報に含まれる漢字文字群を抽出する漢字群抽出手段と、
前記漢字群抽出手段で抽出した漢字文字群に含まれる漢字部首群を抽出する部首群抽出手段と、
前記部首群抽出手段で抽出した漢字部首群を前記ディスプレイに表示して、利用者がそのいずれかを選択できるようにする抽出部首群表示手段と、
利用者が、前記抽出部首群表示手段で表示された前記漢字部首群のいずれかを選択した時に、前記漢字群抽出手段で抽出された漢字文字群から該選択部首を含む漢字文字群をさらに抽出する漢字群再抽出手段と、
前記漢字群再抽出手段で抽出した漢字文字群を前記ディスプレイに表示して、利用者がそのいずれかを入力文字として選択できるようにする再抽出漢字群表示手段と、
利用者が、前記再抽出漢字群表示手段で表示された前記漢字文字群の何れかを入力文字として選択したときに、該選択文字の入力を確定する入力文字確定手段と、を有する文字入力装置。
【請求項１２】
複数の前記データベースと、該複数のデータベースの中から利用者の選択操作に基づいて前記漢字群抽出手段で漢字群を抽出する対象となるデータベースを特定するデータベース特定手段と、を更に有する請求項１１に記載の文字入力装置。
【請求項１３】
前記入力文字確定手段で確定された文字を含む情報を前記データベースから抽出する情報抽出手段と、
該情報抽出手段で抽出された一または複数の情報を、利用者がその何れかを選択できるように前記ディスプレイに表示する抽出情報表示手段と、を更に有する請求項１１に記載の文字入力装置。
【請求項１４】
利用者が前記抽出部首群表示手段により表示される前記漢字部首群の何れかを選択したときに、該選択部首を前記手書入力画面に加筆可能に表示する選択部首表示手段を更に有する請求項１１に記載の文字入力装置。
【請求項１５】
前記抽出部首群表示手段が、各漢字部首の画数の多い順に該漢字部首群を並べて表示するものである、請求項１１に記載の文字入力装置。
【請求項１６】
前記再抽出漢字群表示手段が、各漢字における総画数の多い順に該再抽出漢字文字群を並べて表示するものである、請求項１１に記載の文字入力装置。
【請求項１７】
利用者による漢字部首の入力履歴を記憶する部首入力履歴記憶手段を更に有し、
前記抽出部首群表示手段が、前記利用者による漢字部首の入力履歴における、入力頻度の高い順に該漢字部首群を並べて表示するものである、請求項１１に記載の文字入力装置。
【手続補正書】
【提出日】平成27年3月3日(2015.3.3)
【手続補正１】
【補正対象書類名】特許請求の範囲
【補正対象項目名】全文
【補正方法】変更
【補正の内容】
【特許請求の範囲】
【請求項１】
複数のプリセット位置で赤外線映像を撮像する赤外線カメラ部と、前記赤外線カメラ部が前記プリセット位置で撮像する撮像区域を可視映像で撮像する可視カメラ部と、気象情報を観測する気象観測計と、監視者が操作する監視端末と、前記赤外線カメラ部、前記可視カメラ部、前記気象観測計、及び前記監視端末を制御する制御装置とを備えた火災検知システムであって、
前記赤外線カメラ部は、前記制御装置に登録された前記赤外線カメラ部のプリセット位置に基づいて旋回し、撮像した前記赤外線映像を前記制御部へ送信し、
前記可視カメラ部は、前記制御装置に登録された前記可視カメラ部のプリセット位置に基づいて旋回し、撮像した前記可視映像を前記制御部へ送信し、
前記制御装置は、前記赤外線映像に基づいて火災発生を検知し、前記気象情報と、前記赤外線カメラ部と前記可視カメラ部の相互の位置関係を示す位置関係情報と、前記プリセット位置とに基づいて延焼方向を予測し、
前記監視端末は、前記赤外線カメラ部が前記プリセット位置で撮像する撮像区域を表示し、火災発生を検知したプリセット位置の撮像区域と、前記制御部が予測した延焼方向に対応する撮像区域を強調表示することを特徴とする火災検知システム。
【請求項２】
前記制御装置は、前記赤外線映像に基づいて火災発生を検知すると、前記可視カメラ部に対して火災発生を検知した前記赤外線カメラ部のプリセット位置の撮像区域を撮像する前記可視カメラ部のプリセット位置に旋回するよう制御を行い、旋回制御した前記可視カメラ部が撮像した前記可視映像を前記監視端末へ送信し、
前記監視端末は、受信した前記可視映像を表示し、前記監視者によって火災ボタンが操作された場合、火災発生の通知を前記制御装置へ送信し、
前記制御装置は、火災発生の通知を受信すると、前記赤外線カメラ部の旋回制御を停止することを特徴とする請求項１に記載の火災検知システム。
【請求項３】
複数のプリセット位置で赤外線映像を撮像する赤外線カメラ部と、前記赤外線カメラ部が前記複数のプリセット位置で撮像する監視区域を可視映像で撮像する可視カメラ部と、気象情報を観測する気象観測計と、監視者が操作する監視端末と、を制御する火災検知方法であって、
前記赤外線カメラ部を、予め登録した前記赤外線カメラ部のプリセット位置に基づいて旋回制御し、
前記可視カメラ部を、予め登録した前記可視カメラ部のプリセット位置に基づいて旋回制御し、
前記赤外線映像に基づいて火災発生を検知し、前記気象情報と、前記赤外線カメラ部と前記可視カメラ部の相互の位置関係を示す位置関係情報と、前記プリセット位置とに基づいて延焼方向を予測し、
前記赤外線カメラ部が前記プリセット位置で撮像する撮像区域を表示し、火災発生を検知したプリセット位置の撮像区域と、予測した前記延焼方向に対応する撮像区域を強調表示することを特徴とする火災検知方法。
【請求項４】
前記赤外線映像に基づいて火災発生を検知すると、前記可視カメラ部に対して火災発生を検知した前記赤外線カメラ部のプリセット位置の撮像区域を撮像する前記可視カメラ部のプリセット位置に旋回するよう制御を行い、旋回制御した前記可視カメラ部が撮像した前記可視映像を表示し、
前記監視者によって火災ボタンが操作された場合、前記赤外線カメラ部の旋回制御を停止することを特徴とする請求項３に記載の火災検知方法。
【手続補正２】
【補正対象書類名】明細書
【補正対象項目名】０００６
【補正方法】変更
【補正の内容】
【０００６】
即ち、本発明の火災検知システムは、複数のプリセット位置で赤外線映像を撮像する赤外線カメラ部と、赤外線カメラ部がプリセット位置で撮像する撮像区域を可視映像で撮像する可視カメラ部と、気象情報を観測する気象観測計と、監視者が操作する監視端末と、赤外線カメラ部、可視カメラ部、気象観測計、及び監視端末を制御する制御装置とを備えた火災検知システムであって、赤外線カメラ部は、制御装置に登録された赤外線カメラ部のプリセット位置に基づいて旋回し、撮像した赤外線映像を制御部へ送信し、可視カメラ部は、制御装置に登録された可視カメラ部のプリセット位置に基づいて旋回し、撮像した可視映像を制御部へ送信し、制御装置は、赤外線映像に基づいて火災発生を検知し、気象情報と、赤外線カメラ部と可視カメラ部の相互の位置関係を示す位置関係情報と、プリセット位置とに基づいて延焼方向を予測し、監視端末は、赤外線カメラ部がプリセット位置で撮像する撮像区域を表示し、火災発生を検知したプリセット位置の撮像区域と、制御部が予測した延焼方向に対応する撮像区域を強調表示することを特徴とする。
【手続補正３】
【補正対象書類名】明細書
【補正対象項目名】０００７
【補正方法】変更
【補正の内容】
【０００７】
また、上記本発明の火災検知システムにおいて、制御装置は、赤外線映像に基づいて火災発生を検知すると、可視カメラ部に対して火災発生を検知した赤外線カメラ部のプリセット位置の撮像区域を撮像する可視カメラ部のプリセット位置に旋回するよう制御を行い、旋回制御した可視カメラ部が撮像した可視映像を監視端末へ送信し、監視端末は、受信した可視映像を表示し、監視者によって火災ボタンが操作された場合、火災発生の通知を制御装置へ送信し、制御装置は、火災発生の通知を受信すると、赤外線カメラ部の旋回制御を停止することを第２の特徴とする。
【手続補正４】
【補正対象書類名】明細書
【補正対象項目名】０００８
【補正方法】変更
【補正の内容】
【０００８】
また、本発明の火災検知方法は、複数のプリセット位置で赤外線映像を撮像する赤外線カメラ部と、赤外線カメラ部が複数のプリセット位置で撮像する監視区域を可視映像で撮像する可視カメラ部と、気象情報を観測する気象観測計と、監視者が操作する監視端末と、を制御する火災検知方法であって、赤外線カメラ部を、予め登録した赤外線カメラ部のプリセット位置に基づいて旋回制御し、可視カメラ部を、予め登録した可視カメラ部のプリセット位置に基づいて旋回制御し、赤外線映像に基づいて火災発生を検知し、気象情報と、赤外線カメラ部と可視カメラ部の相互の位置関係を示す位置関係情報と、プリセット位置とに基づいて延焼方向を予測し、赤外線カメラ部がプリセット位置で撮像する撮像区域を表示し、火災発生を検知したプリセット位置の撮像区域と、予測した延焼方向に対応する撮像区域を強調表示することを特徴とする。
【手続補正書】
【提出日】平成27年3月10日(2015.3.10)
【手続補正１】
【補正対象書類名】明細書
【補正対象項目名】０００９
【補正方法】変更
【補正の内容】
【０００９】
前記地域撮像装置は、周回衛星に搭載される装置であり、
前記位置情報収集装置は、前記地域撮像装置を搭載した前記周回衛星が前記特定地域の上空を飛行する所定の時間帯を前記特定時間帯として前記位置情報要求を発信する。
【手続補正２】
【補正対象書類名】明細書
【補正対象項目名】００１０
【補正方法】変更
【補正の内容】
【００１０】
前記位置情報収集装置は、前記特定地域の上空に少なくともいずれかの時間帯に存在する飛行体に搭載される装置である。
【手続補正３】
【補正対象書類名】明細書
【補正対象項目名】００１１
【補正方法】変更
【補正の内容】
【００１１】
前記位置情報収集装置は、静止衛星、準天頂衛星、飛行船または気球に搭載される装置である。
【手続補正４】
【補正対象書類名】特許請求の範囲
【補正対象項目名】全文
【補正方法】変更
【補正の内容】
【特許請求の範囲】
【請求項１】
複数の対象物が存在する特定地域を特定時間帯に撮像して地域画像を取得する地域撮像装置と、
前記特定時間帯の位置情報を要求する位置情報要求を前記特定地域に向けて発信し、前記複数の対象物のうち前記位置情報要求に応じる対象物から送信される前記特定時間帯の位置情報を通信位置情報として受信する位置情報収集装置と、
前記地域撮像装置によって取得される前記地域画像に基づいて前記特定時間帯の前記特定地域に存在する前記複数の対象物それぞれの位置情報を画像位置情報として算出し、前記複数の対象物それぞれの画像位置情報と前記位置情報収集装置によって収集された前記対象物の通信位置情報とを比較し、前記位置情報要求に応じない対象物の位置情報を特定する対象物検出装置と
を備えることを特徴とする対象物検出システム。
【請求項２】
前記位置情報収集装置は、前記位置情報要求を前記特定時間帯に送信することにより、前記通信位置情報を前記特定時間帯に受信する
ことを特徴とする請求項１記載の対象物検出システム。
【請求項３】
前記地域撮像装置は、周回衛星に搭載される装置であり、
前記位置情報収集装置は、前記地域撮像装置を搭載した前記周回衛星が前記特定地域の上空を飛行する所定の時間帯を前記特定時間帯として前記位置情報要求を発信する
ことを特徴とする請求項１または請求項２記載の対象物検出システム。
【請求項４】
前記位置情報収集装置は、前記特定地域の上空に少なくともいずれかの時間帯に存在する飛行体に搭載される装置である
ことを特徴とする請求項１から請求項３いずれかに記載の対象物検出システム。
【請求項５】
前記位置情報収集装置は、静止衛星、準天頂衛星、飛行船または気球に搭載される装置である
ことを特徴とする請求項４記載の対象物検出システム。
【請求項６】
地域撮像装置が、複数の対象物が存在する特定地域を特定時間帯に撮像して地域画像を取得し、
位置情報収集装置が、前記特定時間帯の位置情報を要求する位置情報要求を前記特定地域に向けて発信し、前記複数の対象物のうち前記位置情報要求に応じる対象物から送信される前記特定時間帯の位置情報を通信位置情報として受信し、
対象物検出装置が、前記地域撮像装置によって取得される前記地域画像に基づいて前記特定時間帯の前記特定地域に存在する前記複数の対象物それぞれの位置情報を画像位置情報として算出し、前記複数の対象物それぞれの画像位置情報と前記位置情報収集装置によって収集された前記対象物の通信位置情報とを比較し、前記位置情報要求に応じない対象物の位置情報を特定する
ことを特徴とする対象物検出方法。
【手続補正書】
【提出日】平成27年3月12日(2015.3.12)
【手続補正１】
【補正対象書類名】特許請求の範囲
【補正対象項目名】全文
【補正方法】変更
【補正の内容】
【特許請求の範囲】
【請求項１】
車両周囲の路面の画像を取得する車載カメラで取得した画像を画像処理して区画線のエッジ点を抽出するエッジ点抽出手段と、
区画線の位置、車両進行方向に対する傾き、曲率、および複数の区画線の幅方向の間隔、からなる群から選ばれる１種以上である道路パラメータであって、前記エッジ点抽出手段により抽出された前記エッジ点のうち前記車両から所定の距離以内の区画線に対応する近傍エッジ点に基づいて算出される前記道路パラメータである近傍道路パラメータを算出する第１算出手段と、
前記エッジ点抽出手段により抽出された前記エッジ点のうち前記車両から所定の距離を超えた位置の区画線に対応する遠方エッジ点と、前記第１算出手段により算出された前記近傍道路パラメータと、に基づいて算出される前記道路パラメータである遠方道路パラメータを算出する第２算出手段と、を有し、
前記第２算出手段は、予測値と実測値とに基づいて前記遠方道路パラメータを算出するものであり、
前記実測値とは、前記エッジ点抽出手段が抽出した前記遠方エッジ点に基づいて算出される前記道路パラメータであり、
前記予測値とは、第１算出手段により算出された前記近傍道路パラメータおよび過去に第２算出手段が算出した前記遠方道路パラメータに基づいて算出される前記道路パラメータである
ことを特徴とする走行区画線認識装置。
【請求項２】
前記第１算出手段は、前記エッジ点抽出手段により抽出された前記エッジ点を、路面を平面とした場合の座標に変換して前記近傍道路パラメータを算出する
ことを特徴とする請求項１に記載の走行区画線認識装置。
【請求項３】
前記第２算出手段は、前記エッジ点抽出手段により抽出された前記遠方エッジ点の中から、前記第１算出手段により算出された前記近傍道路パラメータに基づいて予測される区画線が存在する位置に対応する前記遠方エッジ点を選択して用いて前記遠方道路パラメータを算出する
ことを特徴とする請求項１又は請求項２のいずれか１項に記載の走行区画線認識装置。
【請求項４】
前記第２算出手段は、前記第１算出手段により算出された前記近傍道路パラメータを基準値として、前記遠方道路パラメータが異常値であるか否かを判定する
ことを特徴とする請求項１から請求項３のいずれか１項に記載の走行区画線認識装置。
【請求項５】
コンピュータを、請求項１から請求項４のいずれか１項に記載の走行区画線認識装置を構成する各手段として機能させるためのプログラム。
【手続補正２】
【補正対象書類名】明細書
【補正対象項目名】００１９
【補正方法】変更
【補正の内容】
【００１９】
請求項５に記載の発明は、コンピュータを、請求項１から請求項４のいずれか１項に記載の走行区画線認識装置を構成する各手段として機能させるためのプログラムである。
このようなプログラムにより制御されるコンピュータは、請求項１から請求項４のいずれかに記載の走行区画線認識装置の一部を構成することができる。
【手続補正書】
【提出日】平成26年12月18日(2014.12.18)
【手続補正１】
【補正対象書類名】明細書
【補正対象項目名】００１２
【補正方法】変更
【補正の内容】
【００１２】
本発明のプログラムは、コンピュータを上記医療情報配信サーバとして機能させるものである。
【手続補正２】
【補正対象書類名】明細書
【補正対象項目名】００２１
【補正方法】変更
【補正の内容】
【００２１】
この測定器識別記号はＳＩＭ（Subscriber Identity Module）カードなどの血圧計１２の通信部のハードウェアに固有の機器ＩＤであってもよい。この場合、ＳＩＭカードが同じであれば、測定機器が異なっていてもサーバ１４からみれば機器ＩＤは同一と判断される。
【手続補正３】
【補正対象書類名】明細書
【補正対象項目名】００２４
【補正方法】変更
【補正の内容】
【００２４】
個々の患者と、患者が所持するカード１３のカード識別記号Ｘと、血圧計１２の測定器識別記号（携帯電話番号及び拡張記号）は、例えば血圧計を患者に販売される際に予め対応付けておき、これを患者テーブルとして、サーバ１４に記憶させておくことができる。図７は、そのような患者テーブルの一例である。患者テーブルは複数の患者レコードからなり、各患者レコードは、各患者に一意に割り当てられた患者ＩＤ；測定器識別記号；カード識別記号Ｘ；氏名・住所・電話番号等の個人情報；患者端末を利用するときのログイン名・パスワード；その他の情報；とから構成される。
【手続補正４】
【補正対象書類名】明細書
【補正対象項目名】００２９
【補正方法】変更
【補正の内容】
【００２９】
図５は、本実施形態の専門家端末１５の構成を示す図である。専門家端末１５は、制御部５１、通信部５２、入力部５３、表示部５４、カード読取部５５、記憶部５６を有する。専門家端末１５には、通常のパーソナルコンピュータ等を用いることができる。その場合、制御部５１、通信部５２、入力部５３、表示部５４、記憶部５６は、通常のパーソナルコンピュータのものをそのまま利用することができる。専門家端末のカード読取部５５は、前述の患者が所持するカード１３のカード識別記号Ｘを読み取るためのもので、パーソナルコンピュータのＵＳＢ等外部端子に接続して用いることができる。
【手続補正５】
【補正対象書類名】明細書
【補正対象項目名】００３８
【補正方法】変更
【補正の内容】
【００３８】
図１２は、本実施形態のサーバによる生体情報表示画像データ作成のフローを示す図である。サーバは、専門家端末から患者のカードＩＤ（患者の識別情報であり、同時に生体情報データ転送要求である）を受信すると、以下の処理を行う。まず、患者テーブルを参照して、受信したカードＩＤに対応する患者ＩＤを取得する。次に、医師テーブルを参照して、送信元の医師ＩＤに対応する医師毎の初期設定値を取得する。次に、医師ＩＤと患者ＩＤに対応する診察日テーブルを参照して、前々診察日及び前診察日、ならびに医師−患者毎初期設定値を取得する。次に、取得した前々診察日を考慮して、血圧データを表示すべき期間（以下、「表示期間」ということがある）を決定する。この表示期間は、少なくとも前々診察日から生体情報データ転送要求を受信した日（以下、「今診察日」という）までの期間を含む。次に、患者ＩＤに対応する血圧データテーブルから、当該表示期間の血圧データを取得する。次に、取得した血圧データを時系列で表したグラフ（推移グラフ）を作成し、合わせて表示用画像データを作成する。このとき、前々診察日及び前診察日がグラフ中に併せて表示されるように、表示画像データを作成する。また、比較基準値がグラフ中に併せて表示されるように、表示画像データを作成してもよい。このように推移グラフの画像データが作成すると、サーバは、これを前記専門家端末に送信する。このグラフにより、医師は、前々診察日以降の生体情報データの推移を確認できるとともに、過去の各診察日に行った診断、処置、治療、薬の処方等との関係をより的確に把握することができる。
【手続補正書】
【提出日】平成27年3月5日(2015.3.5)
【手続補正１】
【補正対象書類名】明細書
【補正対象項目名】発明の名称
【補正方法】変更
【補正の内容】
【発明の名称】情報処理装置、印刷装置及び印刷システム
【手続補正２】
【補正対象書類名】明細書
【補正対象項目名】０００１
【補正方法】変更
【補正の内容】
【０００１】
本発明は、情報処理装置、印刷装置及び印刷システムに関する。 
【手続補正３】
【補正対象書類名】明細書
【補正対象項目名】００１０
【補正方法】変更
【補正の内容】
【００１０】
上記の目的を達成するために、請求項１に記載の発明に係る情報処理装置は、登録認証情報が記憶されている認証情報記憶手段と、印刷データを生成する生成手段と、前記生成手段により生成した印刷データを所定の印刷装置に送信する印刷データ送信手段と、を備え、前記印刷データ送信手段は、前記認証情報記憶手段に記憶されている登録認証情報と一致する認証情報が送信されてくるまで前記印刷データの送信を保留するとともに、前記認証情報記憶手段に記憶されている登録認証情報と一致する認証情報が送信されてきた場合には前記認証情報を送信してきた印刷装置に対して前記印刷データを送信することを特徴とする。
また、請求項２に記載の発明に係る印刷装置は、アドレス情報が記憶されているアドレス情報記憶手段と、認証情報を入力する入力手段と、前記入力手段により入力された認証情報に前記アドレス情報記憶手段に記憶されているアドレス情報を付加してブロードキャスト送信する認証情報送信手段と、前記認証情報送信手段により送信した認証情報に基づいて情報処理装置から送信されてきた印刷データを受信する受信手段と、を備えたことを特徴とする。
また、請求項３に記載の発明に係る印刷システムは、複数の印刷装置のそれぞれに対して複数の情報処理装置をネットワークを介して接続可能な印刷システムであって、情報処理装置は、登録認証情報が記憶されている認証情報記憶手段と、印刷データを生成する生成手段と、前記生成手段により生成した印刷データを送信する印刷データ送信手段と、を備え、印刷装置は、アドレス情報が記憶されているアドレス情報記憶手段と、認証情報を入力する入力手段と、前記入力手段により入力された認証情報に前記記憶手段に記憶されているアドレス情報を付加してブロードキャスト送信する認証情報送信手段と、を備え、前記印刷データ送信手段は、前記認証情報記憶手段に記憶されている登録認証情報と一致する認証情報が送信されてくるまで前記印刷データの送信を保留するとともに、前記認証情報記憶手段に記憶されている登録認証情報と一致する認証情報が送信されてきた場合には前記認証情報に付加されていたアドレス情報に基づいて前記認証情報を送信してきた印刷装置に対して前記印刷データを送信することを特徴とする。
【手続補正４】
【補正対象書類名】特許請求の範囲
【補正対象項目名】全文
【補正方法】変更
【補正の内容】
【特許請求の範囲】
【請求項１】
登録認証情報が記憶されている認証情報記憶手段と、
印刷データを生成する生成手段と、
前記生成手段により生成した印刷データを所定の印刷装置に送信する印刷データ送信手段と、
を備え、
前記印刷データ送信手段は、前記認証情報記憶手段に記憶されている登録認証情報と一致する認証情報が送信されてくるまで前記印刷データの送信を保留するとともに、前記認証情報記憶手段に記憶されている登録認証情報と一致する認証情報が送信されてきた場合には前記認証情報を送信してきた印刷装置に対して前記印刷データを送信することを特徴とする情報処理装置。
【請求項２】
アドレス情報が記憶されているアドレス情報記憶手段と、
認証情報を入力する入力手段と、
前記入力手段により入力された認証情報に前記アドレス情報記憶手段に記憶されているアドレス情報を付加してブロードキャスト送信する認証情報送信手段と、
前記認証情報送信手段により送信した認証情報に基づいて情報処理装置から送信されてきた印刷データを受信する受信手段と、
を備えたことを特徴とする印刷装置。
【請求項３】
複数の印刷装置のそれぞれに対して複数の情報処理装置をネットワークを介して接続可能な印刷システムであって、
情報処理装置は、登録認証情報が記憶されている認証情報記憶手段と、印刷データを生成する生成手段と、前記生成手段により生成した印刷データを送信する印刷データ送信手段と、を備え、
印刷装置は、アドレス情報が記憶されているアドレス情報記憶手段と、認証情報を入力する入力手段と、前記入力手段により入力された認証情報に前記記憶手段に記憶されているアドレス情報を付加してブロードキャスト送信する認証情報送信手段と、を備え、
前記印刷データ送信手段は、前記認証情報記憶手段に記憶されている登録認証情報と一致する認証情報が送信されてくるまで前記印刷データの送信を保留するとともに、前記認証情報記憶手段に記憶されている登録認証情報と一致する認証情報が送信されてきた場合には前記認証情報に付加されていたアドレス情報に基づいて前記認証情報を送信してきた印刷装置に対して前記印刷データを送信することを特徴とする印刷システム。
【請求項４】
前記入力手段は、ＩＣカードリーダを有し、
前記認証情報は、該ＩＣカードリーダに対して翳されたＩＣカードから取得した該ＩＣカード固有の所定情報であることを特徴とする請求項２に記載の印刷装置または請求項３に記載の印刷システム。
【手続補正書】
【提出日】平成27年3月5日(2015.3.5)
【手続補正１】
【補正対象書類名】明細書
【補正対象項目名】発明の名称
【補正方法】変更
【補正の内容】
【発明の名称】情報端末装置、印刷装置及び印刷システム
【手続補正２】
【補正対象書類名】明細書
【補正対象項目名】０００１
【補正方法】変更
【補正の内容】
【０００１】
本発明は、情報端末装置、印刷装置及び印刷システムに関する。 
【手続補正３】
【補正対象書類名】明細書
【補正対象項目名】０００９
【補正方法】変更
【補正の内容】
【０００９】
そこで、本発明は利用者が所望する状態をＳＮＭＰによって監視することができる情報端末装置、印刷装置及び印刷システムを提供することを目的とする。 
【手続補正４】
【補正対象書類名】明細書
【補正対象項目名】００１０
【補正方法】変更
【補正の内容】
【００１０】
上記の目的を達成するために、請求項１に記載の発明に係る情報端末装置は、印刷設定情報に基づいて印刷データを生成する情報端末装置であって、所定の記憶手段にユーザ定義ＭＩＢとして記憶されている設定項目と同じ設定項目が前記印刷設定情報に含まれていた場合、印刷装置から監視機器に向けてＳＮＭＰトラップを送信させるＳＮＭＰトラップ送信命令を前記印刷データに付加して前記印刷装置に送信する制御手段を備えたことを特徴とする。
また、請求項２に記載の発明に係る印刷装置は、印刷設定情報に基づいて生成された印刷データを情報端末装置から受信可能な印刷装置であって、所定の記憶手段にユーザ定義ＭＩＢとして記憶されている設定項目と同じ設定項目が前記印刷設定情報に含まれていた場合に前記印刷データに付加されるＳＮＭＰトラップ送信命令を、前記印刷データを受信した際に検出した場合にＳＮＭＰトラップを監視機器に送信する制御手段を備えたことを特徴とする。
また、請求項３に記載の発明に係る印刷システムは、情報端末装置と印刷装置がネットワークで接続された印刷システムであって、前記情報端末装置は、印刷設定情報に基づいて印刷データを生成する印刷データ生成手段と、所定の記憶手段にユーザ定義ＭＩＢとして記憶されている設定項目と同じ設定項目が前記印刷設定情報に含まれていた場合、ＳＮＭＰトラップ送信命令を前記印刷データに付加して前記印刷装置に送信する制御手段と、を備え、前記印刷装置は、前記情報端末装置から前記印刷データを受信した際に前記ＳＮＭＰトラップ送信命令を検出した場合にＳＮＭＰトラップを監視機器に送信する制御手段を備えたことを特徴とする。
【手続補正５】
【補正対象書類名】明細書
【補正対象項目名】００１１
【補正方法】変更
【補正の内容】
【００１１】
本発明によれば、利用者が所望する状態をＳＮＭＰによって監視することができる情報端末装置、印刷装置及び印刷システムを提供できる。
【手続補正６】
【補正対象書類名】特許請求の範囲
【補正対象項目名】全文
【補正方法】変更
【補正の内容】
【特許請求の範囲】
【請求項１】
印刷設定情報に基づいて印刷データを生成する情報端末装置であって、
所定の記憶手段にユーザ定義ＭＩＢとして記憶されている設定項目と同じ設定項目が前記印刷設定情報に含まれていた場合、印刷装置から監視機器に向けてＳＮＭＰトラップを送信させるＳＮＭＰトラップ送信命令を前記印刷データに付加して前記印刷装置に送信する制御手段を備えたことを特徴とする情報端末装置。
【請求項２】
印刷設定情報に基づいて生成された印刷データを情報端末装置から受信可能な印刷装置であって、
所定の記憶手段にユーザ定義ＭＩＢとして記憶されている設定項目と同じ設定項目が前記印刷設定情報に含まれていた場合に前記印刷データに付加されるＳＮＭＰトラップ送信命令を、前記印刷データを受信した際に検出した場合にＳＮＭＰトラップを監視機器に送信する制御手段を備えたことを特徴とする印刷装置。
【請求項３】
情報端末装置と印刷装置がネットワークで接続された印刷システムであって、
前記情報端末装置は、
印刷設定情報に基づいて印刷データを生成する印刷データ生成手段と、
所定の記憶手段にユーザ定義ＭＩＢとして記憶されている設定項目と同じ設定項目が前記印刷設定情報に含まれていた場合、ＳＮＭＰトラップ送信命令を前記印刷データに付加して前記印刷装置に送信する制御手段と、を備え、
前記印刷装置は、
前記情報端末装置から前記印刷データを受信した際に前記ＳＮＭＰトラップ送信命令を検出した場合にＳＮＭＰトラップを監視機器に送信する制御手段を備えたことを特徴とする印刷システム。
【請求項４】
前記記憶手段は、ネットワークを介して前記情報端末装置に接続されるサーバ装置に設けられ、
前記ユーザ定義ＭＩＢは、所定のアプリケーションによって前記情報端末装置から前記記憶手段に登録可能に構成されていることを特徴とする請求項１に記載の情報端末装置、請求項２に記載の印刷装置または請求項３に記載の印刷システム。
【手続補正書】
【提出日】平成27年2月26日(2015.2.26)
【手続補正１】
【補正対象書類名】明細書
【補正対象項目名】０００６
【補正方法】変更
【補正の内容】
【０００６】
本発明の課題は、特典付与目標に達するまでの取得済スタンプ数と未取得スタンプ数とを視覚的に容易に認識できるようにすることである。
【手続補正２】
【補正対象書類名】明細書
【補正対象項目名】０００７
【補正方法】変更
【補正の内容】
【０００７】
請求項１は、商品の売上処理に応じて点数を付与する売上データ処理装置であって、顧客に対する売上処理時に、今回の売上金額と当該顧客に対して記憶された過去の売上金額との累計金額に応じた累計点数を取得する取得手段と、前記取得手段で取得された累計点数を、設定記憶手段に予め任意に設定されて記憶された特典付与点数と比較する比較手段と、前記比較手段による比較で前記累計点数が前記特典付与点数に達していない場合には、その累計点数に応じた数の取得済みスタンプと、前記特典付与点数に達するまでの点数に応じた数の未取得スタンプと、を識別可能に出力する出力手段と、を具備したことを特徴とする。
【手続補正３】
【補正対象書類名】明細書
【補正対象項目名】０００８
【補正方法】変更
【補正の内容】
【０００８】
本発明によれば、特典付与目標に達するまでの取得済スタンプ数と未取得スタンプ数とを視覚的に容易に認識できる。
【手続補正４】
【補正対象書類名】特許請求の範囲
【補正対象項目名】全文
【補正方法】変更
【補正の内容】
【特許請求の範囲】
【請求項１】
商品の売上処理に応じて点数を付与する売上データ処理装置であって、
顧客に対する売上処理時に、今回の売上金額と当該顧客に対して記憶された過去の売上金額との累計金額に応じた累計点数を取得する取得手段と、
前記取得手段で取得された累計点数を、設定記憶手段に予め任意に設定されて記憶された特典付与点数と比較する比較手段と、
前記比較手段による比較で前記累計点数が前記特典付与点数に達していない場合には、その累計点数に応じた数の取得済みスタンプと、前記特典付与点数に達するまでの点数に応じた数の未取得スタンプと、を識別可能に出力する出力手段と、
を具備したことを特徴とする売上データ処理装置。
【請求項２】
前記設定記憶手段は、任意に設定された前記特典付与点数が何点なのかを視覚的に示すスタンプ配列情報を記憶し、そのスタンプ配列に合わせて前記取得済みスタンプと前記未取得スタンプとを配列して出力する、
ことを特徴とする請求項１に記載の売上データ処理装置。
【請求項３】
前記設定記憶手段には、前記取得手段による前記点数を、今回の売上金額と当該顧客の過去の売上累計金額とを加算した累計金額を点数基準金額と比較することで累計点数として取得するか、あるいは、今回の売上金額を前記点数基準金額と比較して今回点数を算出して当該顧客の過去の取得済み累計点数と加算することで取得するか、が点数取得方法として任意に選択設定されて記憶され、
前記算出手段は、前記設定記憶手段に設定記憶された算出方法に基づいて前記点数を算出する、
ことを特徴とする請求項１又は２に記載の売上データ処理装置。
【請求項４】
前記設定記憶手段には、点数を加算する点数基準金額が任意に設定されて記憶され、
前記取得手段は、今回の売上金額あるいは過去の売上金額を、前記設定記憶手段に任意に設定された当該点数基準金額と比較することで前記点数を取得する、
ことを特徴とする請求項１〜３の何れかに記載の売上データ処理装置。
【請求項５】
前記出力手段は、前記累計点数が前記特典付与点数に達している場合には、その累計点数で付与可能な特典情報の数を算出して、その算出された数分の特典情報を出力する、
ことを特徴とする請求項１〜４の何れかに記載の売上データ処理装置。
【請求項６】
前記出力手段は、前記特典情報を出力すると共に、その出力した特典情報の数に応じて当該顧客に対して記憶された累計点数を減算し、その減算された累計点数に応じた数の前記取得済みスタンプと前記未取得スタンプとを識別可能に出力する、
ことを特徴とする請求項５に記載の売上データ処理装置。
【請求項７】
商品の売上処理に応じて点数を付与する売上データ処理装置のコンピュータを制御するためのプログラムであって、
前記コンピュータを、
顧客に対する売上処理時に、今回の売上金額と当該顧客に対して記憶された過去の売上金額との累計金額に応じた累計点数を取得する取得手段、
前記取得手段で取得された累計点数を、設定記憶手段に予め任意に設定されて記憶された特典付与点数と比較する比較手段、
前記比較手段による比較で前記累計点数が前記特典付与点数に達していない場合には、その累計点数に応じた数の取得済みスタンプと、前記特典付与点数に達するまでの点数を示す未取得スタンプと、を識別可能に出力する出力手段、
として機能させるようにしたプログラム。
【手続補正書】
【提出日】平成27年3月25日(2015.3.25)
【手続補正１】
【補正対象書類名】特許請求の範囲
【補正対象項目名】全文
【補正方法】変更
【補正の内容】
【特許請求の範囲】
【請求項１】
自装置への電源供給及び電源供給の遮断を行うためのスイッチ手段と、
自装置への電源供給を遮断する第１の省電力モードと、前記第１の省電力モードより消費電力が多くかつ復帰するために必要な時間が前記第１の省電力モードよりも短い第２の省電力モードと、を有し、前記スイッチ手段によって前記電源供給を開始してから動作指示が行われずに予め定めた時間経過したときに前記第２の省電力モードへ移行するように制御すると共に、前記第２の省電力モードへ移行してから動作指示が行われずに経過した時間が、前記第１の省電力モードへ移行してから復帰するまでに要する電力量と、前記第２の省電力モードへ移行してから復帰するまでに要する電力量と、に基づいて予め算出した、前記第２の省電力モードから前記第１の省電力モードへ移行する移行時間を経過したときに、前記第１の省電力モードへ移行するように、前記スイッチ手段を制御する制御手段と、
を備えた情報処理装置。
【請求項２】
前記第２の省電力モード時の待機電力が変化するオプション装置の装着を検出する検出手段を更に備え、
前記制御手段が、前記検出手段によって前記オプション装置の装着が検出された場合に、前記オプション装置が装着された場合の前記第１の省電力モードへ移行してから復帰するまでに要する電力量と、前記オプション装置が装着された場合の前記第２の省電力モードへ移行してから復帰するまでに要する電力量と、に基づいて予め算出した時間を前記移行時間として、前記スイッチ手段を制御する請求項１に記載の情報処理装置。
【請求項３】
前記制御手段は、自装置の使用頻度が高いと想定される予め定めた条件の場合に、前記移行時間を予め定めた時間延長するように更に制御する請求項１又は請求項２に記載の情報処理装置。
【請求項４】
前記制御手段は、（時間Ｔにおける前記第１の省電力モードの電力量）＋（前記第１の省電力モードの復帰時に必要な電力量）≦（時間Ｔにおける前記第２の省電力モードの電力量）＋（前記第２の省電力モードの復帰時に必要な電力量）を満たす最小の時間Ｔを前記移行時間として前記スイッチ手段を制御する請求項１〜３の何れか１項に記載の情報処理装置。
【請求項５】
コンピュータを、請求項１〜４の何れか１項に記載の情報処理装置の制御手段として機能させるための情報処理装置の省電力プログラム。
【手続補正２】
【補正対象書類名】明細書
【補正対象項目名】０００５
【補正方法】変更
【補正の内容】
【０００５】
請求項１に記載の情報処理装置は、自装置への電源供給及び電源供給の遮断を行うためのスイッチ手段と、自装置への電源供給を遮断する第１の省電力モードと、前記第１の省電力モードより消費電力が多くかつ復帰するために必要な時間が前記第１の省電力モードよりも短い第２の省電力モードと、を有し、前記スイッチ手段によって前記電源供給を開始してから動作指示が行われずに予め定めた時間経過したときに前記第２の省電力モードへ移行するように制御すると共に、前記第２の省電力モードへ移行してから動作指示が行われずに経過した時間が、前記第１の省電力モードから復帰するまでに要する電力量と、前記第２の省電力モードから復帰するまでに要する電力量と、に基づいて予め算出した、前記第２の省電力モードから前記第１の省電力モードへ移行する移行時間を経過したときに、前記第１の省電力モードへ移行するように、前記スイッチ手段を制御する制御手段と、を備えることを特徴としている。